(57)【要約】【課題】副電源スイッチのオフ操作に応じて定着器の通電を確実に遮断することができる画像形成装置を提供する。【解決手段】記録材に現像剤を加熱により定着させる定着器２３と、定着器２３への給電をオン／オフするリレー２７と、一部分の電源のオン／オフを制御する副電源スイッチ２１と、副電源スイッチ２１のオフ操作に応じてリレー２７を遮断するように制御する制御部１１と、を備える画像形成装置１に、副電源スイッチ２１のオフ操作に応じてリレー２７を強制的に遮断するリレー遮断手段４０を備えさせる。【選択図】        図１
2004347886.tif 000002
【特許請求の範囲】
【請求項１】
記録材に現像剤を加熱により定着させる定着器と、定着器への給電をオン／オフするリレーと、一部分の電源のオン／オフを制御する副電源スイッチと、前記副電源スイッチのオフ操作に応じて前記リレーを遮断するように制御する制御部と、を備える画像形成装置において、
前記副電源スイッチのオフ操作に応じて前記リレーを強制的に遮断するリレー遮断手段を備えたことを特徴とする画像形成装置。
【請求項２】
請求項１に記載の画像形成装置において、
前記制御部によりオン／オフ制御されることにより、前記定着器への通電をオン／オフさせるスイッチング素子と、
前記副電源スイッチのオフ操作に応じて、前記スイッチング素子を強制的にオフさせて前記定着器への通電を遮断する通電遮断手段と、
を備えることを特徴とする画像形成装置。
【請求項３】
請求項２に記載の画像形成装置において、
前記リレー遮断手段により前記リレーを遮断するタイミングを、前記副電源スイッチのオフ操作の後、所定の時間だけ遅延させる遅延手段を備えたことを特徴とする画像形成装置。
【請求項４】
請求項３に記載の画像形成装置において、
前記所定の時間は少なくとも１０ｍｓ以上であることを特徴とする画像形成装置。
【請求項５】
交流電力が供給されて記録材に現像剤を加熱により定着させる定着器と、定着器への給電をオン／オフするリレーと、一部分の電源のオン／オフを制御する副電源スイッチと、副電源スイッチのオフ操作に応じて前記リレーを遮断するように制御する制御部と、前記制御部によりオン／オフ制御されて前記定着器への通電をオン／オフするスイッチング素子と、を備える画像形成装置において、
前記副電源スイッチのオフ操作に応じて、前記リレーを強制的に遮断するリレー遮断手段と、
前記副電源スイッチのオフ操作に応じて、前記スイッチング素子を強制的にオフさせて前記定着器への通電を遮断する通電遮断手段と、
前記リレー遮断手段により前記リレーを遮断するタイミングを、前記副電源スイッチのオフ操作の後、少なくとも前記交流電力の半周期分の時間だけ遅延させるように制御する遅延制御手段と、
を備えたことを特徴とする画像形成装置。
【請求項６】
交流電力が供給されて記録材に現像剤を加熱により定着させる定着器と、定着器への給電をオン／オフするリレーと、一部分の電源のオン／オフを制御する副電源スイッチと、前記副電源スイッチのオフ操作に応じてリレーを遮断するように制御する制御部と、前記制御部によりオン／オフ制御されて前記定着器への通電をオン／オフするスイッチング素子と、を備える画像形成装置において、
前記交流電力のゼロクロスタイミングを検出するゼロクロス信号検出手段と、
前記副電源スイッチのオフ操作に応じて、前記スイッチング素子を強制的にオフさせて前記定着器への通電を遮断する通電遮断手段と、
前記副電源スイッチのオフ操作に応じて、前記リレーを強制的に遮断するリレー遮断手段と、
前記リレー遮断手段により前記リレーを遮断するタイミングを前記副電源スイッチのオフ操作の後、前記ゼロクロス信号検出手段により検出されるゼロクロス信号の少なくとも１周期分の時間だけ遅延させるように制御する遅延制御手段と、
を備えたことを特徴とする画像形成装置。
【請求項７】
記録材に現像剤を加熱により定着させる定着器と、定着器への給電をオン／オフするリレーと、一部分の電源のオン／オフを制御する副電源スイッチと、前記副電源スイッチのオフ操作に応じてリレーを遮断するように制御する制御部と、前記制御部によりオン／オフ制御されて前記定着器への通電をオン／オフするスイッチング素子と、を備える画像形成装置において、
前記リレーまたは前記定着器の通電電流を検出する電流検出手段と、
前記電流検出手段により検出された電流に基づき前記スイッチング素子がオフされたか否かを判断する判断部と、
前記副電源スイッチのオフ操作に応じて、前記スイッチング素子を強制的にオフさせて前記定着器への通電を遮断する通電遮断手段と、
前記副電源スイッチのオフ操作の後、前記判断部により前記スイッチング素子がオフされたと判断された場合に、前記リレーを強制的に遮断するリレー遮断手段と、を備えたことを特徴とする画像形成装置。
【請求項８】
記録材に現像剤を加熱により定着させる定着器と、定着器への給電をオン／オフするリレーと、一部分の電源のオン／オフを制御する副電源スイッチと、前記副電源スイッチのオフ操作に応じてリレーを遮断するように制御する制御部と、前記制御部によりオン／オフ制御されて定着器への通電をオン／オフするスイッチング素子と、を備える画像形成装置において、
前記スイッチング素子の両端における電圧を検出する電圧検出手段と、
前記電圧検出手段により検出された電圧に基づき前記スイッチング素子がオフされたか否かを判断する判断部と、
前記副電源スイッチのオフ操作に応じて、前記スイッチング素子を強制的にオフさせて前記定着器への通電を遮断する通電遮断手段と、
前記副電源スイッチのオフ操作の後、前記判断部により前記スイッチング素子がオフされたと判断された場合に、前記リレーを強制的に遮断するリレー遮断手段と、を備えたことを特徴とする画像形成装置。
【発明の詳細な説明】
【０００１】
【発明の属する技術分野】
本発明は、定着器を備えた画像形成装置に関する。
【０００２】
【従来の技術】
電子写真方式の複写機、プリンタおよびファクシミリ等において、記録材に転写されたトナー画像を、加熱および加圧により記録材に定着させる定着器を備えたものが知られている（例えば、特許文献１参照）。定着器は加熱源として例えばハロゲンランプ等から構成される定着ヒータを備えている。
【０００３】
例えば、図１１および図１２に示すように、定着ヒータ１０１ａ、１０１ｂの一端は交流商用電源１０２とリレー１０３を介して接続され、他端はトライアック１０４ａ、１０４ｂを介して接続されている。稼働時において、制御部１０５はリレー１０３をオンし、トライアック１０４ａ、１０４ｂをオン／オフ制御することにより定着ヒータ１０１ａ、１０１ｂの温度制御を行う。
【０００４】
画像形成装置１００においては、交流商用電源１０２との接続をオン／オフする主電源スイッチ１０６と、装置の一部分の電源をオン／オフ制御するために待機電力を残した状態で内部電源１０７をオン／オフする副電源スイッチ１０８が設けられている。副電源スイッチ１０８がオフ操作された場合、制御部１０５は制御信号Ｓｒ、Ｓｍｈ、Ｓｓｈを送信してリレー１０３およびトライアック１０４ａ、１０４ｂをオフし、定着ヒータ１０１ａ、１０１ｂへの給電を遮断し、画像形成装置１００を待機状態にする。
【０００５】
【特許文献１】
特開２００２−２４７７５２号公報
【０００６】
【発明が解決しようとする課題】
しかしながら、従来の画像形成装置１００は、副電源スイッチ１０８のオフ操作に応じてソフトウェアによりリレー１０３やトライアック１０４ａ、１０４ｂをオフする構成としており、ハードウェアによりリレー１０３やトライアック１０４ａ、１０４ｂを強制的に遮断し、定着ヒータ１０１ａ、１０１ｂへの通電を防止する構成は備えられていなかった。このため、ソフトウェアに不具合が生じると、副電源スイッチ１０８のオフ操作が行われても定着ヒータ１０１ａ、１０１ｂへの通電が継続される恐れがあった。
【０００７】
本発明の課題は、副電源スイッチのオフ操作に応じて定着器の通電を確実に遮断することができる画像形成装置を提供することである。
【０００８】
【課題を解決するための手段】
上記課題を解決するために、請求項１に記載の発明は、記録材に現像剤を加熱により定着させる定着器と、定着器への給電をオン／オフするリレーと、一部分の電源のオン／オフを制御する副電源スイッチと、前記副電源スイッチのオフ操作に応じて前記リレーを遮断するように制御する制御部と、を備える画像形成装置において、前記副電源スイッチのオフ操作に応じて前記リレーを強制的に遮断するリレー遮断手段を備えたことを特徴とする。
【０００９】
請求項１に記載の発明によれば、制御部によるリレー遮断動作とは別に、副電源スイッチのオフ操作に応じてリレーを強制的に遮断するリレー遮断手段を備えるので、副電源スイッチのオフ操作があった場合にはソフトウェアの不具合が生じた場合でも確実に定着器への通電をオフすることができる。
【００１０】
請求項２に記載の発明は、請求項１に記載の画像形成装置において、前記制御部によりオン／オフ制御されることにより、前記定着器への通電をオン／オフさせるスイッチング素子と、前記副電源スイッチのオフ操作に応じて、前記スイッチング素子を強制的にオフさせて前記定着器への通電を遮断する通電遮断手段と、を備えることを特徴とする。
【００１１】
請求項２に記載の発明によれば、通電遮断手段を備えたことにより、副電源スイッチのオフ操作があった場合には、リレーおよびスイッチング素子を遮断することにより、定着器への通電および給電をより確実に防止することができる。
【００１２】
請求項３に記載の発明は、請求項２に記載の画像形成装置において、前記リレー遮断手段により前記リレーを遮断するタイミングを、前記副電源スイッチのオフ操作の後、所定の時間だけ遅延させる遅延手段を備えたことを特徴とする。
【００１３】
請求項３に記載の発明によれば、遅延手段によりリレーを遮断するタイミングを遅延させるので、交流電力の活性状態における遮断を回避することができ、アーク発生等によるリレー接点の劣化又はリレー接点の溶着等の不具合を防止することができる。
【００１４】
請求項４に記載の発明は、請求項３に記載の画像形成装置において、前記所定の時間は少なくとも１０ｍｓ以上であることを特徴とする。
【００１５】
請求項４記載の発明によれば、遅延手段によりリレーを遮断させるタイミングを少なくとも１０ｍｓ以上の遅延させるので、より確実に交流電力の活性状態における遮断を回避することができる。
【００１６】
請求項５に記載の発明は、交流電力が供給されて記録材に現像剤を加熱により定着させる定着器と、定着器への給電をオン／オフするリレーと、一部分の電源のオン／オフを制御する副電源スイッチと、副電源スイッチのオフ操作に応じて前記リレーを遮断するように制御する制御部と、前記制御部によりオン／オフ制御されて前記定着器への通電をオン／オフするスイッチング素子と、を備える画像形成装置において、前記副電源スイッチのオフ操作に応じて、前記リレーを強制的に遮断するリレー遮断手段と、前記副電源スイッチのオフ操作に応じて、前記スイッチング素子を強制的にオフさせて前記定着器への通電を遮断する通電遮断手段と、前記リレー遮断手段により前記リレーを遮断するタイミングを、前記副電源スイッチのオフ操作の後、少なくとも前記交流電力の半周期分の時間だけ遅延させるように制御する遅延制御手段と、を備えたことを特徴とする。
【００１７】
請求項５に記載の発明によれば、制御部によるリレー遮断動作とは別に、副電源スイッチのオフ操作に応じてスイッチング素子およびリレーが強制的に遮断するので、ソフトウェアの不具合が生じた場合でも確実に定着器への通電をオフすることができる。
また、遅延制御手段により、遮断するタイミングを少なくとも交流電力の半周期分の時間だけ遅延させるので、交流電力の活性状態における遮断を回避することができ、アーク発生等によるリレー接点の劣化又はリレー接点の溶着等の不具合を防止することができる。
【００１８】
請求項６に記載の発明は、交流電力が供給されて記録材に現像剤を加熱により定着させる定着器と、定着器への給電をオン／オフするリレーと、一部分の電源のオン／オフを制御する副電源スイッチと、前記副電源スイッチのオフ操作に応じてリレーを遮断するように制御する制御部と、前記制御部によりオン／オフ制御されて前記定着器への通電をオン／オフするスイッチング素子と、を備える画像形成装置において、前記交流電力のゼロクロスタイミングを検出するゼロクロス信号検出手段と、前記副電源スイッチのオフ操作に応じて、前記スイッチング素子を強制的にオフさせて前記定着器への通電を遮断する通電遮断手段と、前記副電源スイッチのオフ操作に応じて、前記リレーを強制的に遮断するリレー遮断手段と、前記リレー遮断手段により前記リレーを遮断するタイミングを前記副電源スイッチのオフ操作の後、前記ゼロクロス信号検出手段により検出されるゼロクロス信号の少なくとも１周期分の時間だけ遅延させるように制御する遅延制御手段と、を備えたことを特徴とする。
【００１９】
請求項６に記載の発明によれば、制御部によるリレー遮断動作とは別に、副電源スイッチのオフ操作に応じてスイッチング素子およびリレーが強制的に遮断するので、ソフトウェアの不具合が生じた場合でも確実に定着器への通電をオフすることができる。
また、遅延制御手段により、リレーを遮断するタイミングを少なくともゼロクロス信号の１周期分の時間だけ遅延させるので、交流電力の活性状態における遮断を回避することができ、アーク放電の発生を防止し、リレー接点の劣化を防ぐことができる。
また、ゼロクロスタイミングに合わせてリレーを遮断するようにすれば、より確実に交流電力の活性状態における遮断を防止することができる。
【００２０】
請求項７に記載の発明は、記録材に現像剤を加熱により定着させる定着器と、定着器への給電をオン／オフするリレーと、一部分の電源のオン／オフを制御する副電源スイッチと、前記副電源スイッチのオフ操作に応じてリレーを遮断するように制御する制御部と、前記制御部によりオン／オフ制御されて前記定着器への通電をオン／オフするスイッチング素子と、を備える画像形成装置において、前記リレーまたは前記定着器の通電電流を検出する電流検出手段と、前記電流検出手段により検出された電流に基づき前記スイッチング素子がオフされたか否かを判断する判断部と、前記副電源スイッチのオフ操作に応じて、前記スイッチング素子を強制的にオフさせて前記定着器への通電を遮断する通電遮断手段と、前記副電源スイッチのオフ操作の後、前記判断部により前記スイッチング素子がオフされたと判断された場合に、前記リレーを強制的に遮断するリレー遮断手段と、を備えたことを特徴とする。
【００２１】
請求項７に記載の発明によれば、制御部によるリレー遮断動作とは別に、副電源スイッチのオフ操作に応じてスイッチング素子およびリレーが強制的に遮断するので、ソフトウェアの不具合が生じた場合でも確実に定着器への通電をオフすることができる。
また、電流検出手段により検出された電流に基づき判断部がスイッチング素子がオフされたと判断した場合に、リレーを遮断するので、交流電力の活性状態における遮断を回避することができ、したがって、リレー接点でのアーク放電等の発生を防止し、リレー接点の劣化を防ぐことができる。
【００２２】
請求項８に記載の発明は、記録材に現像剤を加熱により定着させる定着器と、定着器への給電をオン／オフするリレーと、一部分の電源のオン／オフを制御する副電源スイッチと、前記副電源スイッチのオフ操作に応じてリレーを遮断するように制御する制御部と、前記制御部によりオン／オフ制御されて定着器への通電をオン／オフするスイッチング素子と、を備える画像形成装置において、前記スイッチング素子の両端における電圧を検出する電圧検出手段と、前記電圧検出手段により検出された電圧に基づき前記スイッチング素子がオフされたか否かを判断する判断部と、前記副電源スイッチのオフ操作に応じて、前記スイッチング素子を強制的にオフさせて前記定着器への通電を遮断する通電遮断手段と、前記副電源スイッチのオフ操作の後、前記判断部により前記スイッチング素子がオフされたと判断された場合に、前記リレーを強制的に遮断するリレー遮断手段と、を備えたことを特徴とする。
【００２３】
請求項８に記載の発明によれば、制御部によるリレー遮断動作とは別に、副電源スイッチのオフ操作に応じてスイッチング素子およびリレーが強制的に遮断するので、ソフトウェアの不具合が生じた場合でも確実に定着器への通電をオフすることができる。
また、電圧検出手段により検出されたスイッチング素子両端における電圧に基づき判断部がスイッチング素子がオフされたと判断した場合に、リレーを遮断するので、交流電力の活性状態における遮断を回避することができ、したがって、リレー接点でのアーク放電等の発生を防止し、リレー接点の劣化を防ぐことができる。
【００２４】
【発明の実施の形態】
以下、図を参照して本発明の第１の実施の形態〜第７の実施の形態を説明する。
【００２５】
〔第１の実施の形態〕
図１に示すように、本実施の形態の画像形成装置１は、制御部１１と、記憶部１２と、表示操作部１３と、読取部１４と、画像処理部１５と、作像部１６と、給紙部１７と、定着部１８と、電源部１９とを備え、これら各部はシステムバス２０により互いに接続されている。
【００２６】
制御部１１は、記憶部１２に記憶された各種制御プログラムに基づき制御部１１は画像形成装置１を集中制御する。なお、制御部１１の構成については後述する。
【００２７】
表示操作部１３は、画像形成装置１の一部分の電源をオン／オフ制御する副電源スイッチ２１（図２参照）を有する操作パネル２２、と各種操作表示等を行うディスプレイを備えている。ユーザは副電源スイッチ２１をオン／オフすることにより電源部１９の一部分（後述の常時電源ブロック３１ａ、図２参照）を除いてオン／オフすることができ、画像形成装置１をオン状態または待機状態にすることができる。
【００２８】
読取部１４は、表示操作部１３から入力される操作指示等に基づき原稿等に形成された画像等を読み取るものである。読取部１４により原稿等から読み取られた画像情報は、画像処理部１５により画像処理が行われる。
【００２９】
作像部１６は、画像処理が施された画像情報等に基づく画像をトナー等の現像剤により形成し、紙等の記録材上にその画像（トナー像）を転写するものである。記録材は、給紙部１７により作像部１６に供給される。
【００３０】
定着部１８は、定着ローラ（図示略）、定着ヒータ部２３と定着ヒータ部２３への通電を制御する通電制御回路２４を備える。
【００３１】
定着ヒータ部２３は定着ローラ（図示略）に内包される。作像部１６により記録材上に転写された未定着トナー像は、定着ローラおよび定着ヒータ部２３により加熱および加圧される。定着ローラには接触または近接して配置される温度センサ２５が設けられる。温度センサ２５は定着ローラの表面温度を検出し、検出信号を制御部１１に出力する。
【００３２】
通電制御回路２４は、制御部１１から伝送される制御信号Ｓｍｈ、Ｓｓｈに応じて定着ヒータ部２３への通電をオン／オフするトライアック２４ａ、２４ｂを含む（図２参照）。スイッチング素子としてのトライアック２４ａ、２４ｂをオン／オフすることにより定着ヒータ部２３への通電が制御され、定着ローラの表面温度が所定の温度になるように制御される。
【００３３】
また、定着ヒータ部２３は交流商用電源（以下、「ＡＣ電源」という。）２６とリレー２７を介して接続されている（図２参照）。リレー２７には制御部１１からリレーをオン／オフさせるための制御信号Ｓｒが伝送される。また、スイッチ２１のオフ操作があったとき、リレー２７は後述するリレー遮断回路４０により強制的に遮断される。リレー２７が遮断された場合、定着ヒータ部２３およびトライアック２４ａ、２４ｂへの給電が物理的に遮断される。
【００３４】
電源部１９は、画像形成装置１の各部に電源を供給するもので、図２に示すように主電源スイッチ２８を介してＡＣ電源２６と接続されるＤＣ電源部２９を含む。ＤＣ電源部２９は、ＡＣ電源２６から供給される交流電流を直流に変換するＡＣ−ＤＣコンバータ３０と、このＡＣ−ＤＣコンバータ３０から電力が供給される常時電源ブロック３１ａ、制御電源ブロック３１ｂおよびパワー電源ブロック３１ｃを含む。
【００３５】
常時電源ブロック３１ａは、副電源スイッチ２１がオフ操作された際の待機時に制御部１１の一部等に電源を供給する。制御電源ブロック３１ｂおよびパワー電源ブロック３１ｃは、副電源スイッチ２１がオン操作された際に制御部１１より送信される制御信号Ｓ１、Ｓ２に基づき所定の各部に電源を供給する。なお、主電源スイッチ２８がオフ操作されると、電源部１９はオフされ、画像形成装置１の各部への給電が遮断される。
【００３６】
本実施の形態では、副電源スイッチ２１のオフ操作が行われた場合、このオフ操作に応じて制御部１１によるリレーの遮断動作とは別に、強制的にリレーを遮断するリレー遮断回路４０を設けた。以下、図２および図３を参照して、本実施の形態におけるリレー遮断回路４０について説明する。
【００３７】
図２は、画像形成装置１の主要構成として、制御部１１、ＤＣ電源部２９、定着ヒータ部２３、トライアック２４ａ、２４ｂ、リレー２７、操作パネル２２を示したものである。
【００３８】
定着ヒータ部２３は、メインヒータ２３ａとサブヒータ２３ｂを有する。メインヒータ２３ａおよびサブヒータ２３ｂは、ともに、例えば、ハロゲンランプ等から構成することができる。メインヒータ２３ａおよびサブヒータ２３ｂの一端は互いに接続されるとともに上記リレー２７を介してＡＣ電源２６に接続されている。また、メインヒータ２３ａおよびサブヒータ２３ｂの他端にはそれぞれ第１トライアック２４ａ、第２トライアック２４ｂの一端が接続され、各トライアック２４ａ、２４ｂの他端は互いに接続されるとともにＡＣ電源２６に接続されている。
【００３９】
リレー２７、第１トライアック２４ａおよび第２トライアック２４ｂの初期論理は全てオフに設定されている。制御部１１から信号線Ｌ１、Ｌ２、Ｌ３を介して“Ｈ”レベルの制御信号Ｓｒ、Ｓｍｈ、Ｓｓｈを受信しない限り、それぞれオフになっている。制御部１１は主電源スイッチ２８がオンの時に、副電源スイッチ２１のオン操作が行われると、記憶部１２（図１参照）に記憶された制御プログラムに基づき、リレー２７をオンにするための制御信号Ｓｒを送信してリレー２７をオンにする。このとき、第１トライアック２４ａおよび第２トライアック２４ｂは制御部１１から送信される制御信号Ｓｍｈ、Ｓｓｈの信号レベルに応じて、オン／オフ制御される。
【００４０】
次に、図３を参照してリレー遮断回路４０の動作に係る主要構成を説明する。図３は、同主要構成として、ＤＣ電源部２９、制御部１１、トライアック２４ａ、２４ｂ、リレー２７、リレー遮断回路４０を示したものである。
【００４１】
図３に示すように、制御部１１は、メインＣＰＵ１１ａ、サブＣＰＵ１１ｂを有している。メインＣＰＵ１１ａとサブＣＰＵ１１ｂは信号バス１１ｃを介して互いに制御信号を送受信する。
【００４２】
メインＣＰＵ１１ａは副電源スイッチ２１の一端とプルアップ抵抗Ｒ１およびダイオードＤ１を介して接続されている。メインＣＰＵ１１ａは副電源スイッチ２１のオン／オフ操作等に応じてＤＣ電源部２９に制御信号Ｓ１、Ｓ２を送信し、制御電源ブロック３１ｂ、パワー電源ブロック３１ｃの電源供給を制御する。
【００４３】
サブＣＰＵ１１ｂは第１トランジスタＴｒ１、第２トランジスタＴｒ２を介して第１信号ラインＬ１、第２信号ラインＬ２によりそれぞれ第１トライアック２４ａ、第２トライアック２４ｂに接続されている。第１信号ラインＬ１、第２信号ラインＬ２はそれぞれ第１トランジスタＴｒ１、第２トランジスタＴｒ２のベース端子に第１トライアック２４ａ、第２トライアック２４ｂをオン／オフするための制御信号Ｓｍｈ、Ｓｓｈを送信する。
【００４４】
また、サブＣＰＵ１１ｂは副電源スイッチ２１のオン／オフ操作に応じてリレー２７をオン／オフするための制御信号Ｓｒをリレー２７に伝送する第３信号ラインＬ３を有している。
【００４５】
リレー遮断回路４０は、副電源スイッチ２１の一端およびダイオードＤ１のカソードにそのカソードが接続されるダイオード４１とダイオード４１のアノードに、プルアップ抵抗４２を介してその入力端が接続されるインバータ４３と、一の入力端がインバータ４３の出力端に、プルダウン抵抗Ｒ２を介して第３信号ラインＬ３に接続されるＡＮＤ回路４４を備えている。ＡＮＤ回路４４の出力端は第３トランジスタＴｒ３のベース端子に接続されている。第３トランジスタＴｒ３はエミッタ接地され、そのコレクタ端子はリレー２７内のコイル２７ａに接続されている。
【００４６】
次に、副電源スイッチ２１のオン／オフに応じたリレー遮断回路４０の動作を説明する。
【００４７】
副電源スイッチ２１がオンのとき、インバータ４３の入力端には“Ｌ”レベルの副電源スイッチ信号ＳＳＷが入力する。これが反転されて“Ｈ”レベルの出力信号がＡＮＤ回路４４の一の入力端に供給される。サブＣＰＵ１１ｂは、第３信号ラインＬ３を介してリレー２７をオンするための“Ｈ”レベルの制御信号ＳｒをＡＮＤ回路４４の他の入力端に供給する。これにより、第３トランジスタＴｒ３のベース端子には“Ｈ”レベルの信号が印加され、リレー２７内のコイル２７ａは導通し、リレー２７の接点２７ｂがオンされる。
【００４８】
一方、副電源スイッチ２１がオフになると、インバータ４３の入力端には“Ｈ”レベルの副電源スイッチ信号ＳＳＷが供給される。これが反転されて“Ｌ”レベルの出力信号がＡＮＤ回路４４の一の入力端に供給される。したがって、サブＣＰＵ１１ｂから送信される制御信号Ｓｒの信号レベルによらず、ＡＮＤ回路４４からは常に“Ｌ”レベルの信号が出力され、リレー２７内のコイル２７ａの導通は遮断される。これにより、副電源スイッチ２１のオフ操作に応じて、リレー２７の接点２７ｂは強制的にオフされる。
【００４９】
第１の実施の形態によれば、制御部１１（サブＣＰＵ１１ｂ）によるリレー遮断動作とは別に、リレー遮断回路４０は副電源スイッチ２１のオフ操作に応じてリレー２７を強制的に遮断することができるので、制御部１１のソフトウェア制御におけるソフトウェアの不具合が生じた場合でも確実に定着ヒータ部２３への通電をオフすることができる。
【００５０】
〔第２の実施の形態〕
次に、図４を参照して第２の実施の形態について説明する。なお、第１の実施の形態と同様の構成については同様の符号を付して、その説明を省略する。
【００５１】
第２の実施の形態における画像形成装置２は、副電源スイッチ２１のオフ操作に応じて、第１トライアック２４ａ、第２トライアック２４ｂをオフにすることにより定着ヒータ部２３への通電を遮断する通電遮断回路５０を備えた以外は、第１の実施の形態の画像形成装置１と同様の構成である。
【００５２】
図４に示すように、通電遮断回路５０は、上記したリレー遮断回路４０の一部を構成するダイオード４１、プルアップ抵抗４２、インバータ４３の他、このインバータ４３の出力端と一の入力端がそれぞれ接続される２つのＡＮＤ回路５１ａ、５１ｂを備えている。
【００５３】
一方のＡＮＤ回路５１ａの他の入力端には第１信号ラインＬ１が接続され、サブＣＰＵ１１ｂから第１トライアック２４ａをオン／オフするための制御信号Ｓｍｈが入力される。また、その出力端は第１トランジスタＴｒ１のベース端子に接続される。
【００５４】
他方のＡＮＤ回路５１ｂの他の入力端には第２信号ラインＬ２が接続され、サブＣＰＵ１１ｂから第２トライアック２４ｂをオン／オフするため制御信号Ｓｓｈが入力される。また、その出力端は第２トランジスタＴｒ２のベース端子に接続される。
【００５５】
次に、副電源スイッチ２１のオン／オフ操作に応じた通電遮断回路５０の動作を説明する。
副電源スイッチ２１がオンのとき、第１の実施の形態と同様にインバータ４３には“Ｌ”レベルの副電源スイッチ信号ＳＳＷが入力し、これが反転して“Ｈ”レベルの信号がＡＮＤ回路５１ａ、５１ｂの一の入力端に供給される。ＡＮＤ回路５１ａ、５１ｂの他の入力端には制御信号Ｓｍｈ、Ｓｓｈが入力される。この制御信号Ｓｍｈ、Ｓｓｈの信号レベルに応じて、第１トライアック２４ａ、第２トライアック２４ｂはそれぞれオン／オフ制御される。これにより、定着ヒータ部２３の温度制御が行われる。
【００５６】
一方、副電源スイッチ２１のオフ操作が行われると、インバータ４３には“Ｈ”レベルの副電源スイッチ信号ＳＳＷが入力し、ＡＮＤ回路５１ａ、５１ｂの一の入力端にはそれぞれ“Ｌ”レベルの信号が入力される。したがって、サブＣＰＵ１１ｂから第１信号ラインＬ１、第２信号ラインＬ２を介して送信される制御信号Ｓｍｈ、Ｓｓｈの信号レベルによらず、第１トランジスタＴｒ１、第２トランジスタＴｒ２のベース端子には“Ｌ”レベルの信号が印加される。したがって、制御部１１（サブＣＰＵ１１ｂ）の制御動作によらず第１トライアック２４ａおよび第２トライアック２４ｂはともにオフされる。このとき、第１の実施の形態と同様に、副電源スイッチ２１の副電源スイッチ信号ＳＳＷに応じて、リレー遮断回路４０によりリレー２７が遮断される。
【００５７】
第２の実施の形態によれば、副電源スイッチ２１のオフ操作に応じて、通電遮断回路５０は、第１トライアック２４ａおよび第２トライアック２４ｂを強制的にオフさせるので、リレー遮断回路４０によるリレー２７の強制的遮断に加えて、定着ヒータ部２３への通電をより確実に防止することができる。
【００５８】
〔第３の実施の形態〕
次に、第３の実施の形態を図５を参照して説明する。なお、上記実施の形態と同様の構成については同様の符号を付して、その説明を省略する。第３の実施の形態における画像形成装置３は、インバータ４３の出力端とＡＮＤ回路４４の一の入力端との間に遅延回路６０を備えた以外は、第２の実施の形態の画像形成装置２と同様の構成である。
【００５９】
図５に示す遅延回路６０は、インバータ６１、抵抗６２、コンデンサ６３、抵抗６４、インバータ６５から構成されるがこれに限定されるものではなく、副電源スイッチ２１のオフ操作に応じて生じる副電源スイッチ信号ＳＳＷを所定の時間遅延させ、リレー２７が遮断されるタイミングを遅延するものであればどのような構成であってもよい。
【００６０】
ここで、遅延回路６０が副電源スイッチ信号ＳＳＷを遅延する時間は少なくとも１０ｍｓであることが好ましい。
【００６１】
次に、副電源スイッチ２１がオフ操作された場合の動作を説明する。
副電源スイッチ２１がオフ操作されると、インバータ４３に“Ｈ”レベルの副電源スイッチ信号ＳＳＷが入力する。通電遮断回路５０において、インバータ４３の“Ｌ”レベルの出力信号は遅延されることなく、直ちにＡＮＤ回路５１ａ、５１ｂに入力する。一方、インバータ４３の“Ｌ”レベルの出力信号は遅延回路６０に入力し、所定の時間信号を遅延されてＡＮＤ回路４４に入力する。これにより、第１トライアック２４ａ、第２トライアック２４ｂがオフされた後、所定の遅延時間をあけて、リレー２７が遮断される。
【００６２】
第３の実施の形態によれば、副電源スイッチ２１のオフ操作に応じて生じる副電源スイッチ信号ＳＳＷを遅延回路６０により所定の時間遅延させるので、通電遮断回路５０による定着ヒータ部２３への通電を遮断した後に、リレー２７を遮断させることができる。このように、リレー２７が遮断されるタイミングを遅延するので、交流電力の活性状態における遮断を回避することができ、したがって、接点２７ｂにおけるアーク放電等の発生を防止し、接点２７ｂの溶着等による接点２７ｂの劣化を防止することができる。
【００６３】
〔第４の実施の形態〕
次に、図６および図７を参照して、第４の実施の形態について説明する。なお、上記実施の形態と同様の構成については同様の符号を付して、その説明を省略する。
【００６４】
第４の実施の形態の画像形成装置４は、図６に示すように、電源部１９にＡＣ電源２６から供給される交流電力のゼロクロスタイミングを検出するゼロクロス信号検出器（図示略）を備え、遅延回路６０の代わりに、サブＣＰＵ１１ｂ内に遅延処理ブロック７０を備えた以外は、第３の実施の形態における画像形成装置３と略同様の構成である。
【００６５】
遅延制御手段としての遅延処理ブロック７０は、ゼロクロス信号検出器により検出される単位時間あたりのゼロクロス信号ＳＺＥＲＯをカウントし、ＡＣ電源２６から供給される交流電力の周期を算出する。そして、例えば、図７に示すように、インバータ４３を介して出力される副電源スイッチ信号ＳＳＷを少なくとも交流電力の周期の半周期（Ｔ２−Ｔ１）以上遅延させて、ＡＮＤ回路４４の一の入力端に入力させるようにする。
【００６６】
第４の実施の形態によれば、遅延処理ブロック７０によりインバータ４３を介して出力される副電源スイッチ信号ＳＳＷを少なくともＡＣ電源２６から供給される交流電力の半周期分の時間以上遅延させるので、通電遮断回路５０により定着ヒータ部２３への通電を遮断した後に、所定の遅延時間をおいてリレー２７を遮断させることができる。このように、リレー２７が遮断されるタイミングを交流電力の半周期分の時間以上遅延するので、交流電力の活性状態における遮断を防止することができ、したがって、接点２７ｂにおけるアーク放電の発生を防止することができ、接点２７ｂの溶着等の接点２７ｂの劣化を防止することができる。
【００６７】
〔第５の実施の形態〕
次に、図８を参照して、第５の実施の形態について説明する。なお、上記実施の形態と同様の構成については同様の符号を付して、その説明を省略する。
【００６８】
第５の実施の形態の画像形成装置は、図６に示す遅延処理ブロック７０において、副電源スイッチ２１のオフ操作に応じて、インバータ４３を介して出力される副電源スイッチ信号ＳＳＷを少なくともゼロクロス信号Ｓｚｅｒｏの１周期以上遅延させる以外は、第３の実施の形態における画像形成装置３と同様の構成である。
【００６９】
なお、遅延処理ブロック７０により、ゼロクロス信号ＳＺＥＲＯの立ち上がりエッジに同期して第１トライアック２４ａ、２４ｂをオフさせた後（タイミングＴ１１）、それ以降に連続して入力されるゼロクロス信号ＳＺＥＲＯの立ち上がりエッジ（タイミングＴ１２）に同期してリレー２７を遮断するように副電源スイッチ信号ＳＳＷを遅延させてもよい。要は、ゼロクロスタイミング毎に検出されるゼロクロス信号ＳＺＥＲＯの１周期（Ｔ１２−Ｔ１１）以上の遅延時間をあけてリレー２７を遮断させるように副電源スイッチ信号ＳＳＷを遅延させればよく、ゼロクロス信号ＳＺＥＲＯの立ち上がりエッジに同期してリレー２７を遮断させるようにすると更によい。
【００７０】
第５の実施の形態によれば、遅延処理ブロック７０において副電源スイッチ信号ＳＳＷを遅延させることにより、リレー２７を遮断するタイミングを遅延処理ブロック７０により少なくともゼロクロス信号ＳＺＥＲＯの１周期以上遅延させるので、通電遮断回路５０により定着ヒータ部２３への通電を遮断した後に、リレー２７を遮断させることができる。このように、リレー２７が遮断されるタイミングを遅延するので、交流電力の活性状態における遮断を防止することができ、したがって、接点２７ｂにおけるアーク放電の発生を防止することができ、接点２７ｂの溶着等による劣化を防ぐことができる。
【００７１】
〔第６の実施の形態〕
次に、図９を参照して、第６の実施の形態について説明する。なお、上記実施の形態と同様の構成については同様の符号を付して、その説明を省略する。
【００７２】
本実施の形態における画像形成装置６は、電流検出回路８０を備え、ＯＲ回路８１（判断部）を備えた以外は第２の実施の形態で説明した画像形成装置２と同様の構成である。
【００７３】
図９を参照して、電流検出回路８０とＯＲ回路８１について説明する。
電流検出回路８０は、ＡＣ電源２６とリレー２７との間に設けられたカレントトランス８２等により、給電ラインＬＳに流れる電流を検出し、この検出信号をオペアンプ８３により増幅し、比較器８４を介して電流の有無に応じた信号レベルの信号をＯＲ回路８１の一の入力端に出力するものである。
【００７４】
当該電流検出回路８０において、給電ラインＬＳに電流が流れていると検出した場合には“Ｈ”レベルの信号を、電流が流れていないと検出した場合には“Ｌ”レベルの信号をＯＲ回路８１の一の入力端に供給するように設定されている。
【００７５】
ＯＲ回路８１の他の入力端は、インバータ４３の出力端に接続されている。ＯＲ回路８１の出力端はＡＮＤ回路４４の一の入力端に接続されており、ＡＮＤ回路４４の出力レベルに応じてリレー２７の接点２７ｂがオン／オフされるのは前述の通りである。
【００７６】
次に、副電源スイッチ２１がオフ操作された場合の動作を説明する。
副電源スイッチ２１がオフ操作されると、”Ｈ”レベルの副電源スイッチ信号ＳＳＷが入力されインバータ４３の出力信号は“Ｌ”レベルになる。通電遮断回路５０においてこの“Ｌ”レベルの信号はＡＮＤ回路５１ａ、５１ｂにそれぞれ伝送される。これにより、サブＣＰＵ１１ｂから供給される制御信号Ｓｍｈ、Ｓｓｈの信号レベルによらず、第１トライアック２４ａ、第２トライアック２４ｂがオフされる。
【００７７】
一方、インバータ４３の出力信号はＯＲ回路８１の一の入力端に供給される。ここで、第１トライアック２４ａ、第２トライアック２４ｂがオフされることにより、リレー２７への通電が遮断されると、電流検出回路８０を介してＯＲ回路８１の他の入力端に入力される信号が“Ｈ”レベルから“Ｌ”レベルになり、ＯＲ回路８１の出力が“Ｈ”レベルから“Ｌ”レベルになる。
【００７８】
ＯＲ回路８１の出力レベルが“Ｌ”レベルに変化したことに応じて、ＡＮＤ回路４４の一の入力端に入力される信号が“Ｈ”レベルから“Ｌ”レベルになる。このとき、サブＣＰＵ１１ｂから送信される制御信号Ｓｒの信号レベルによらず、リレー２７の接点２７ｂが強制的に遮断される。
【００７９】
第６の実施の形態によれば、副電源スイッチ２１のオフ操作が行われても、リレー遮断回路４０は、電流検出回路８０の検出信号が“Ｌ”レベル、すなわち給電ラインＬＳの通電が遮断されなければ、リレー２７の接点２７ｂを強制的に遮断しないので、交流電力の活性状態における遮断を回避することができ、したがって、接点２７ｂにおけるアーク放電の発生を防止することができ、接点２７ｂの溶着等による劣化を防ぐことができる。
【００８０】
〔第７の実施の形態〕
次に、図１０を参照して、第７の実施の形態について説明する。なお、上記実施の形態と同様の構成については同様の符号を付して、その説明を省略する。
【００８１】
本実施の形態における画像形成装置７は、電圧検出回路９０と、ＯＲ回路９１（判断部）を備えた以外は第２の実施の形態で説明した画像形成装置２と同様の構成である。
【００８２】
図１０を参照して、電圧検出回路９０とＯＲ回路９１について説明する。
電圧検出回路９０は、第１トライアック２４ａの両端および第２トライアック２４ｂの両端に接続される全波整流回路９２を介して、第１トライアック２４ａ、第２トライアック２４ｂの両端の電圧を検出する回路であり、比較器９３ａ、９３ｂを介して、各トライアック２４ａ、２４ｂの両端に印加される電圧の有無に応じた信号レベルの信号をＯＲ回路９１の第１の入力端、第２の入力端にそれぞれ出力するものである。
【００８３】
ＯＲ回路９１の第１の入力端には、第１トライアック２４ａの両端に電圧が印加されている場合には“Ｌ”レベルの信号が、電圧が印加されていない場合には“Ｈ”レベルの信号が入力されるように設定されている。同様にＯＲ回路９１の第２の入力端には、第２のトライアック２４ｂの両端に電圧が印加されている場合に“Ｌ”レベルの信号が、電圧が印加されていない場合には“Ｈ”レベルの信号が入力されるように設定されている。
【００８４】
ＯＲ回路９１の第３の入力端は、インバータ４３の出力端に接続されている。各入力端から入力される信号レベルに応じた出力がＡＮＤ回路４４の一の入力端に供給される。ＡＮＤ回路４４の出力レベルに応じてリレー２７の接点２７ｂがオン／オフされるのは前述の通りである。
【００８５】
次に、副電源スイッチ２１がオフ操作された場合の動作を説明する。
副電源スイッチ２１がオフ操作されると、“Ｈ”レベルの副電源スイッチ信号ＳＳＷが入力されてインバータ４３の出力信号は“Ｌ”レベルになる。通電遮断回路５０においてこの“Ｌ”レベルの信号はＡＮＤ回路５１ａ、５１ｂにそれぞれ伝送される。これにより、サブＣＰＵ１１ｂから供給される制御信号Ｓｍｈ、Ｓｓｈの信号レベルによらず、第１トライアック２４ａ、第２トライアック２４ｂが強制的にオフされる。
【００８６】
一方、インバータ４３の出力信号はＯＲ回路９１の第３の入力端に供給される。ここで、第１トライアック２４ａ、第２トライアック２４ｂがオフされることにより、各トライアック２４ａ、２４ｂの両端に電圧が生じると、電圧検出回路９０はこれを検出し、ＯＲ回路９１の第１の入力端および第２の入力端にそれぞれ“Ｌ”レベルの信号を供給する。ＯＲ回路９１の各入力端に供給される信号が全て“Ｌ”レベルになったとき、ＯＲ回路９１から“Ｌ”レベルの信号が出力される。
【００８７】
ＯＲ回路９１の出力レベルが“Ｌ”レベルになると、サブＣＰＵ１１ｂからＡＮＤ回路４４に送信される制御信号Ｓｒの信号レベルによらず、ＡＮＤ回路４４の出力信号は“Ｌ”レベルになり、リレー２７の接点２７ｂが強制的に遮断される。
【００８８】
第７の実施の形態によれば、副電源スイッチ２１のオフ操作が行われても、リレー遮断回路４０は、電圧検出回路９０により第１トライアック２４ａ、第２トライアック２４ｂの両端に電圧が生じた場合、すなわち、第１トライアック２４ａ、第２トライアック２４ｂがオフされた場合に、リレー２７の接点２７ｂを強制的に遮断するので、交流電力の活性状態における遮断を回避することができ、したがって、接点２７ｂにおけるアーク放電の発生を防止することができ、接点２７ｂの溶着等による接点２７ｂの劣化を防ぐことができる。
【００８９】
【発明の効果】
請求項１に記載の発明によれば、制御部によるリレー遮断動作とは別に、副電源スイッチのオフ操作に応じてリレーを強制的に遮断するリレー遮断手段を備えるので、副電源スイッチのオフ操作があった場合にはソフトウェアの不具合が生じた場合でも確実に定着器への通電をオフすることができる。
【００９０】
請求項２に記載の発明によれば、通電遮断手段を備えたことにより、副電源スイッチのオフ操作があった場合には、リレーおよびスイッチング素子を遮断することにより、定着器への通電および給電をより確実に防止することができる。
【００９１】
請求項３に記載の発明によれば、遅延手段によりリレーを遮断するタイミングを遅延させるので、交流電力の活性状態における遮断を回避することができ、アーク発生等によるリレー接点の劣化又はリレー接点の溶着等の不具合を防止することができる。
【００９２】
請求項４記載の発明によれば、遅延手段によりリレーを遮断させるタイミングを少なくとも１０ｍｓ以上の遅延させるので、より確実に交流電力の活性状態における遮断を回避することができる。
【００９３】
請求項５に記載の発明によれば、制御部によるリレー遮断動作とは別に、副電源スイッチのオフ操作に応じてスイッチング素子およびリレーが強制的に遮断するので、ソフトウェアの不具合が生じた場合でも確実に定着器への通電をオフすることができる。
また、遅延制御手段により、リレーを遮断するタイミングを少なくとも交流電力の半周期分の時間だけ遅延させるので、交流電力の活性状態における遮断を回避することができ、アーク発生等によるリレー接点の劣化又はリレー接点の溶着等の不具合を防止することができる。
【００９４】
請求項６に記載の発明によれば、制御部によるリレー遮断動作とは別に、副電源スイッチのオフ操作に応じてスイッチング素子およびリレーが強制的に遮断するので、ソフトウェアの不具合が生じた場合でも確実に定着器への通電をオフすることができる。
また、遅延制御手段により、リレーを遮断するタイミングを少なくともゼロクロス信号の１周期分の時間だけ遅延させるので、交流電力の活性状態における遮断を回避することができ、アーク放電の発生を防止し、リレー接点の劣化を防ぐことができる。
また、ゼロクロスタイミングに合わせてリレーを遮断するようにすれば、より確実に交流電力の活性状態における遮断を防止することができる。
【００９５】
請求項７に記載の発明によれば、制御部によるリレー遮断動作とは別に、副電源スイッチのオフ操作に応じてスイッチング素子およびリレーが強制的に遮断するので、ソフトウェアの不具合が生じた場合でも確実に定着器への通電をオフすることができる。
また、電流検出手段により検出された電流に基づき判断部がスイッチング素子がオフされたと判断した場合に、リレーを遮断するので、交流電力の活性状態における遮断を回避することができ、したがって、リレー接点でのアーク放電等の発生を防止し、リレー接点の劣化を防ぐことができる。
【００９６】
請求項８に記載の発明によれば、制御部によるリレー遮断動作とは別に、副電源スイッチのオフ操作に応じてスイッチング素子およびリレーが強制的に遮断するので、ソフトウェアの不具合が生じた場合でも確実に定着器への通電をオフすることができる。
また、電圧検出手段により検出されたスイッチング素子両端における電圧に基づき判断部がスイッチング素子がオフされたと判断した場合に、リレーを遮断するので、交流電力の活性状態における遮断を回避することができ、したがって、リレー接点でのアーク放電等の発生を防止し、リレー接点の劣化を防ぐことができる。
【図面の簡単な説明】
【図１】本発明を適用した実施の形態の画像形成装置の機能的構成を示す図である。
【図２】本発明を適用した実施の形態の画像形成装置の主要構成を示す図である。
【図３】本発明を適用した第１の実施の形態の画像形成装置のリレー遮断回路の動作に係る主要構成を示す図である。
【図４】本発明を適用した第２の実施の形態の画像形成装置のリレー遮断回路および通電遮断回路の動作に係る主要構成を示す図である。
【図５】本発明を適用した第３の実施の形態の画像形成装置のリレー遮断回路、通電遮断回路および遅延回路の動作に係る主要構成を示す図である。
【図６】本発明を適用した第４の実施の形態の画像形成装置のリレー遮断回路、通電遮断回路および遅延処理ブロックの動作に係る主要構成を示す図である。
【図７】第４の実施の形態の画像形成装置における遅延処理ブロックの遅延処理動作を説明するための波形図である。
【図８】本発明を適用した第５の実施の形態の画像形成装置における遅延処理ブロックの遅延処理動作を説明するための波形図である。
【図９】本発明を適用した第６の実施の形態の画像形成装置におけるリレー遮断回路、通電遮断回路、電流検出回路の動作に係る主要構成を示す図である。
【図１０】本発明を適用した第７の実施の形態の画像形成装置におけるリレー遮断回路、通電遮断回路、電圧検出回路の動作に係る主要構成を示す図である。
【図１１】従来の画像形成装置の主要構成を示す図である。
【図１２】従来の画像形成装置の機能的構成を示す図である。
【符号の説明】
１    画像形成装置
１１  制御部
１２  記憶部
１３  表示操作部
１８  定着部
１９  電源部
２１  副電源スイッチ
２２  操作パネル
２３  定着ヒータ部
２３ａ  メインヒータ
２３ｂ  サブヒータ
２４ａ  第１トライアック
２４ｂ  第２トライアック
２４  通電制御回路
２６  ＡＣ電源
２７  リレー
２７ｂ  リレー接点
２８  主電源スイッチ
２９  ＤＣ電源部
４０  リレー遮断回路
５０  通電遮断回路
６０  遅延回路
７０  遅延処理ブロック
８０  電流検出回路
８１  ＯＲ回路
９０  電圧検出回路
９１  ＯＲ回路
Ｓ１  制御信号
Ｓｍｈ  制御信号
Ｓｒ  制御信号
Ｓｓｈ  制御信号
【図１】
2004347886.tif 000003
【図２】
2004347886.tif 000004
【図３】
2004347886.tif 000005
【図４】
2004347886.tif 000006
【図５】
2004347886.tif 000007
【図６】
2004347886.tif 000008
【図７】
2004347886.tif 000009
【図８】
2004347886.tif 000010
【図９】
2004347886.tif 000011
【図１０】
2004347886.tif 000012
【図１１】
2004347886.tif 000013
【図１２】
2004347886.tif 000014